(57)【要約】【課題】シングルコンバージョン方式の耐妨害波特性と、ダブルコンバージョン方式の受信感度特性及び省電力特性とを有し、非連続的な入力信号を受信する場合であっても、耐妨害波特性及び省電力特性を適宜切り替えることができる受信装置を提供する。【解決手段】入力信号及び第１周波数の信号を混合し、第１中間周波信号を出力する第１混合器５と、第１混合器５から出力された第１中間周波信号及び第２周波数の信号を混合し、第２中間周波信号を出力する第２混合器８と、該第２混合器８から出力された第２中間周波信号を復調する復調部とを備える受信装置に、第１混合器５を迂回して入力信号を第２混合器８に入力させるための迂回路３０と、入力信号の入力先を第１混合器５又は第２混合器８に切り替える切替スイッチ３とを備える。【選択図】図１
2015065520.tif 000002
【特許請求の範囲】
【請求項１】
入力信号及び第１周波数の信号を混合し、第１中間周波信号を出力する第１混合器と、該第１混合器から出力された第１中間周波信号及び第２周波数の信号を混合し、第２中間周波信号を出力する第２混合器と、該第２混合器から出力された第２中間周波信号を復調する復調部とを備える受信装置において、
前記第１混合器を迂回して入力信号を前記第２混合器に入力させるための迂回路と、
入力信号の入力先を前記第１混合器又は前記第２混合器に切り替える切替スイッチと
を備えることを特徴とする受信装置。
【請求項２】
前記第２混合器から出力される第２中間周波信号の強度を検出する信号強度検出部と、
該信号強度検出部にて検出した強度が所定強度以上であるか否かを判定する強度判定部と、
前記復調部で復調された信号に基づいて、信号受信の成否を判定する成否判定部と、
第２中間周波信号の強度が所定強度以上であると前記強度判定部が判定し、前記成否判定部が信号受信に失敗したと判定した場合、入力信号が前記第１混合器へ入力するように前記切替スイッチを切り替える切替制御部と
を備えることを特徴とする請求項１に記載の受信装置。
【請求項３】
入力信号が前記第１混合器へ入力するように前記切替スイッチが切り替えられてからの経過時間を計時する計時部を備え、
前記切替制御部は、
前記計時部が所定時間を計時した場合、入力信号が前記第２混合器へ入力するように前記切替スイッチを切り替えるようにしてある
ことを特徴とする請求項２に記載の受信装置。
【請求項４】
前記成否判定部は信号受信の成否を複数回判定するようにしてあり、
前記切替制御部は、
第２中間周波信号の強度が所定強度以上であると前記強度判定部が判定し、前記成否判定部が信号受信に複数回失敗したと判定した場合、入力信号が前記第１混合器へ入力するように前記切替スイッチを切り替えるようにしてある
ことを特徴とする請求項２又は請求項３に記載の受信装置。
【請求項５】
入力信号及び第１周波数の信号を混合し、第１中間周波信号を出力する第１混合器と、該第１混合器から出力された第１中間周波信号及び第２周波数の信号を混合し、第２中間周波信号を出力する第２混合器と、該第２混合器から出力された第２中間周波信号を復調する復調部とを備える受信装置において、
前記第２混合器を迂回して第１中間周波信号を前記復調部に入力させるための迂回路と、
第１中間周波信号の出力先を前記第２混合器又は前記復調器に切り替える切替スイッチと
を備え、
前記復調部は、
第１中間周波信号が前記復調器に入力する場合、該第１中間周波信号を復調することを特徴とする受信装置。
【請求項６】
入力信号及び第１周波数の信号を混合し、第１中間周波信号を出力する第１混合器と、該第１混合器から出力された第１中間周波信号及び第２周波数の信号を混合し、第２中間周波信号を出力する第２混合器と、該第２混合器から出力された第２中間周波信号を復調する復調部とを備える受信装置において、
入力信号及び第３周波数の信号を混合し、第３中間周波信号を前記復調部へ出力する第３混合器と、
入力信号の入力先を前記第１混合器又は前記第３混合器に切り替える切替スイッチと
を備え、
前記復調部は、
入力信号が前記第３混合器に入力する場合、前記第３混合器から出力される第３中間周波信号を復調することを特徴とする受信装置。
【発明の詳細な説明】
【技術分野】
【０００１】
本発明は、スーパーへテロダイン方式の受信装置に関する。
【背景技術】
【０００２】
特許文献１にはスーパーへテロダイン方式の受信装置が開示されている。スーパーへテロダイン方式は、入力信号と、局部発振器から出力される信号とを混合器にて混合することにより、該入力信号を中間周波信号に変換して復調する方式である。前記受信装置は、受信した信号のビットエラーレートが小さくなるように、局部発振器から出力する信号の周波数を変更することにより、中間周波信号の周波数を調整する。中間周波信号の周波数を調整することによって、混合器の後段に設けられたＳＡＷ（Surface Automatic Wave）フィルタに入力される中間周波信号と、妨害波との関係を変化させ、妨害波の影響を軽減することができる。
【０００３】
一方、入力信号を中間周波信号に変換する方法としては、シングルコンバージョン方式と、ダブルコンバージョン方式とがある。シングルコンバージョン方式は、１組の局部発振器及び混合器を備えた１段構成にて、入力信号をコンバートして中間周波信号を得る方式である。ダブルコンバージョン方式は、２組の局部発振器及び混合器を備えた２段構成にて、入力信号を一旦コンバートし、フィルタで妨害波を除去した後、更にコンバートして中間周波信号を得る方式である。ダブルコンバージョン方式は、シングルコンバージョン方式に比べて耐妨害波特性に優れる。シングルコンバージョン方式は、ダブルコンバージョン方式に比べて受信感度に優れており、また消費電力が小さく省電力特性にも優れる。
【先行技術文献】
【特許文献】
【０００４】
【特許文献１】特開２００３−３１８７６１号公報
【発明の概要】
【発明が解決しようとする課題】
【０００５】
しかしながら、特許文献１では、中間周波信号の周波数を調整するために、入力信号のビットエラーレートを常時監視する必要があった。つまり、地上デジタル放送のように常時電波が送信され、該電波の信号が受信装置に入力されることが前提である。リモートキーレスエントリシステム（RKE: Remote Keyless Entry）のように、解錠又は施錠ボタンが操作されたとき等、非連続的に電波が送信されるシステムに特許文献１の発明を適用することは困難である。
【０００６】
本発明は斯かる事情に鑑みてなされたものであり、その目的は、シングルコンバージョン方式の耐妨害波特性と、ダブルコンバージョン方式の受信感度特性及び省電力特性とを有し、非連続的な入力信号を受信する場合であっても、耐妨害波特性及び省電力特性を適宜切り替えることができる受信装置を提供することにある。
【課題を解決するための手段】
【０００７】
本発明に係る受信装置は、入力信号及び第１周波数の信号を混合し、第１中間周波信号を出力する第１混合器と、該第１混合器から出力された第１中間周波信号及び第２周波数の信号を混合し、第２中間周波信号を出力する第２混合器と、該第２混合器から出力された第２中間周波信号を復調する復調部とを備える受信装置において、前記第１混合器を迂回して入力信号を前記第２混合器に入力させるための迂回路と、入力信号の入力先を前記第１混合器又は前記第２混合器に切り替える切替スイッチとを備えることを特徴とする。
【０００８】
本発明にあっては、受信装置は迂回路を備えるため、第１混合器を迂回し、入力信号を第２混合器へ入力させることが可能である。また、切替スイッチによって、入力信号の入力先を第１混合器又は第２混合器に切り替えることができる。
入力信号が第１混合器に入力した場合、入力信号は、第１混合器及び第２混合器を用いたダブルコンバージョン方式によって中間周波信号に変換される。入力信号が第２混合器に入力した場合、入力信号は第２混合器を用いたシングルコンバージョン方式によって中間周波信号に変換される。
従って、受信装置は、シングルコンバージョン方式の耐妨害波特性と、ダブルコンバージョン方式の受信感度特性及び省電力特性とを実現する。
【０００９】
本発明に係る受信装置は、前記第２混合器から出力される第２中間周波信号の強度を検出する信号強度検出部と、該信号強度検出部にて検出した強度が所定強度以上であるか否かを判定する強度判定部と、前記復調部で復調された信号に基づいて、信号受信の成否を判定する成否判定部と、第２中間周波信号の強度が所定強度以上であると前記強度判定部が判定し、前記成否判定部が信号受信に失敗したと判定した場合、入力信号が前記第１混合器へ入力するように前記切替スイッチを切り替える切替制御部とを備えることを特徴とする。
【００１０】
本発明にあっては、第２中間周波信号の信号強度が所定強度以上であり、かつ信号受信に失敗した場合、ダブルコンバージョン方式によって、入力信号は中間周波信号に変換される。信号強度信号が所定強度以上であって、かつ信号受信に失敗している場合、妨害波の影響によって、受信に失敗している可能性が高い。しかし、ダブルコンバージョン方式に切り替えることによって、耐妨害波特性を向上させることが可能になる。
【００１１】
本発明に係る受信装置は、入力信号が前記第１混合器へ入力するように前記切替スイッチが切り替えられてからの経過時間を計時する計時部を備え、前記切替制御部は、前記計時部が所定時間を計時した場合、入力信号が前記第２混合器へ入力するように前記切替スイッチを切り替えるようにしてあることを特徴とする。
【００１２】
本発明にあっては、ダブルコンバージョン方式に切り替えられてから所定時間が経過した場合、シングルコンバージョン方式に切り替える。シングルコンバージョン方式に切り替えることによって、受信感度特性及び省電力特性を向上させることが可能になる。
【００１３】
本発明に係る受信装置は、前記成否判定部は信号受信の成否を複数回判定するようにしてあり、前記切替制御部は、第２中間周波信号の強度が所定強度以上であると前記強度判定部が判定し、前記成否判定部が信号受信に複数回失敗したと判定した場合、入力信号が前記第１混合器へ入力するように前記切替スイッチを切り替えるようにしてあることを特徴とする。
【００１４】
本発明にあっては、第２中間周波信号の信号強度が所定強度以上であり、かつ信号受信に複数回失敗した場合、ダブルコンバージョン方式によって、入力信号は中間周波信号に変換される。信号強度信号が所定強度以上であって、かつ信号受信に失敗したとしても、１回目の失敗である場合、妨害波の影響では無い可能性がある。このため、信号受信の失敗が１回目である場合、ダブルコンバージョン方式への切り替えを行わず、シングルコンバージョン方式を用いた信号受信を試みる。複数回にわたって信号受信に失敗した場合、妨害波の影響によって、受信に失敗している可能性が高い。この場合、ダブルコンバージョン方式に切り替え、信号受信を試みる。
【００１５】
本発明に係る受信装置は、入力信号及び第１周波数の信号を混合し、第１中間周波信号を出力する第１混合器と、該第１混合器から出力された第１中間周波信号及び第２周波数の信号を混合し、第２中間周波信号を出力する第２混合器と、該第２混合器から出力された第２中間周波信号を復調する復調部とを備える受信装置において、前記第２混合器を迂回して第１中間周波信号を前記復調部に入力させるための迂回路と、第１中間周波信号の出力先を前記第２混合器又は前記復調器に切り替える切替スイッチとを備え、前記復調部は、第１中間周波信号が前記復調器に入力する場合、該第１中間周波信号を復調することを特徴とする。
【００１６】
本発明にあっては、受信装置は、迂回路を備えるため、第２混合器を迂回し、第１中間周波信号を復調部へ入力させることが可能である。また、切替スイッチによって、第１中間周波信号の入力先を第２混合器又は復調部に切り替えることができる。
第１中間周波信号が第２混合器に入力した場合、入力信号は、第１混合器及び第２混合器を用いたダブルコンバージョン方式によって中間周波信号に変換される。第１中間周波信号が復調部に入力した場合、入力信号は第１混合器を用いたシングルコンバージョン方式によって中間周波信号に変換される。
従って、受信装置は、シングルコンバージョン方式の耐妨害波特性と、ダブルコンバージョン方式の受信感度特性及び省電力特性とを実現する。
【００１７】
本発明に係る受信装置は、入力信号及び第１周波数の信号を混合し、第１中間周波信号を出力する第１混合器と、該第１混合器から出力された第１中間周波信号及び第２周波数の信号を混合し、第２中間周波信号を出力する第２混合器と、該第２混合器から出力された第２中間周波信号を復調する復調部とを備える受信装置において、入力信号及び第３周波数の信号を混合し、第３中間周波信号を前記復調部へ出力する第３混合器と、入力信号の入力先を前記第１混合器又は前記第３混合器に切り替える切替スイッチとを備え、前記復調部は、入力信号が前記第３混合器に入力する場合、前記第３混合器から出力される第３中間周波信号を復調することを特徴とする。
【００１８】
本発明にあっては、切替スイッチによって、入力信号の入力先を第１混合器又は第３混合器に切り替えることができる。
入力信号が第１混合器に入力した場合、入力信号は、第１混合器及び第２混合器を用いたダブルコンバージョン方式によって中間周波信号に変換される。入力信号が第３混合器に入力した場合、入力信号は第３混合器を用いたシングルコンバージョン方式によって中間周波信号に変換される。
従って、受信装置は、シングルコンバージョン方式の耐妨害波特性と、ダブルコンバージョン方式の受信感度特性及び省電力特性とを実現する。
【発明の効果】
【００１９】
本発明によれば、シングルコンバージョン方式の耐妨害波特性と、ダブルコンバージョン方式の受信感度特性及び省電力特性とを有し、非連続的な入力信号を受信する場合であっても、耐妨害波特性及び省電力特性を適宜切り替えることができる。
【図面の簡単な説明】
【００２０】
【図１】シングルコンバージョン方式で動作する受信装置のブロック図である。
【図２】ダブルコンバージョン方式で動作する受信装置のブロック図である。
【図３】制御部の処理手順を示すフローチャートである。
【図４】変形例における制御部の処理手順を示すフローチャートである。
【図５】実施の形態２に係る受信装置のブロック図である。
【図６】実施の形態３に係る受信装置のブロック図である。
【発明を実施するための形態】
【００２１】
（実施の形態１）
以下、本発明をその実施の形態１を示す図面に基づいて詳述する。
図１はシングルコンバージョン方式で動作する受信装置のブロック図、図２はダブルコンバージョン方式で動作する受信装置のブロック図である。本実施の形態１に係る受信装置は、スーパーへテロダイン方式を用いて入力信号を中間周波信号に変換し、復調する装置である。受信装置は、状況に応じてシングルコンバージョン構成と、ダブルコンバージョン構成とを切り替えることによって、各方式が有する耐妨害波特性及び受信感度特性を両立させるものである。
【００２２】
受信装置は、ＳＡＷフィルタ１、増幅器２、切替スイッチ３、制御部４、第１混合器５、第１局部発振器６、第１バンドパスフィルタ７、第２混合器８、第２局部発振器９、第２バンドパスフィルタ１０は、復調部１１、及びベースバンド部１２及び信号強度検出部１３を備える。
【００２３】
ＳＡＷフィルタ１は、圧電基板上に、複数のくし型電極を弾性表面波の伝搬方向に沿って配した素子であり、所定周波数帯の信号を透過するフィルタ回路である。例えば、キーレスエントリシステムを構成する携帯リモコンから送信された電波を図示しないアンテナが受信し、受信された信号はＳＡＷフィルタ１に入力する。ＳＡＷフィルタ１に入力した信号に含まれる所定周波数帯以外の信号は除去され、所定周波数帯の信号のみが入力信号として、増幅器２に与えられる。
【００２４】
増幅器２は、入力信号を増幅し、切替スイッチ３へ出力する。増幅器２は、例えば低雑音で入力信号を増幅できるＬＮＡ（low noise amplifier）である。
【００２５】
切替スイッチ３は、入力信号の入力先を第１混合器５及び第２混合器８に切り替えるスイッチであり、共通端３ａ、第１切替端３ｂ及び第２切替端３ｃを有する。共通端３ａは、増幅器２の出力端子に接続されている。第１切替端３ｂには、第１混合器５の入力端子が接続され、第２切替端３ｃには、迂回路３０を介して第２混合器８の入力端子が接続されている。切替スイッチ３の動作は制御部４によって制御される。
【００２６】
迂回路３０は、第１混合器５を迂回して入力信号を第２混合器８に入力させるための配線である。詳細には、迂回路３０の一端は切替スイッチ３の第２切替端３ｃに接続され、迂回路３０の他端は第２混合器８の入力端子に接続されている。
【００２７】
第１局部発信器６は、第１周波数の正弦波状の信号を第１混合器５に与える回路である。該信号は、入力信号から所望の中間周波信号を得るための周波数である。第１周波数は、入力信号の周波数よりも、所望の中間周波信号の周波数の値だけ、高い又は低い周波数の信号である。
【００２８】
第１混合器５は、増幅器２からの入力信号と、第１局部発信器６から与えられた信号とを混合して、中間周波信号を生成し、生成した中間周波信号を第１バンドパスフィルタ７に与える。以下、第１混合器５にて生成された中間周波信号を、第１中間周波信号と呼ぶ。
【００２９】
第１バンドパスフィルタ７は、第１中間周波信号に含まれる所定周波数帯以外の信号を除去する回路である。該所定周波数帯以外の信号が除去された第１中間周波信号は、第２混合器８に与えられる。
【００３０】
第２局部発信器９は、第２周波数の正弦波状の信号を第２混合器８に与える回路である。該信号は、第２中間周波信号から所望の中間周波信号を得るための周波数である。第２周波数は、第２中間周波信号の周波数よりも、所望の中間周波信号の周波数の値だけ、高い又は低い周波数の信号である。
また、入力信号が第１混合器５を迂回して、第２混合器８に入力される場合、第２周波数は、入力信号の周波数よりも、所望の中間周波信号の周波数の値だけ、高い又は低い周波数の信号である。
【００３１】
第２混合器８は、第１混合器５からの第１中間周波信号と、第２局部発信器９から与えられた第２周波数の信号とを混合して、中間周波信号を生成し、生成した中間周波信号を第２バンドパスフィルタ１０に与える。以下、第２混合器８にて生成された中間周波信号を、第２中間周波信号と呼ぶ。
【００３２】
第２バンドパスフィルタ１０は、第２中間周波信号に含まれる所定周波数帯以外の信号を除去する回路である。該所定周波数帯以外の信号が除去された第２中間周波信号は、第２混合器８に与えられる。
【００３３】
復調部１１は、第２混合器８から出力され、第２バンドパスフィルタ１０を通過した第２中間周波信号を復調する回路である。例えば、入力信号が周波数偏移変調（FSK: frequency shift keying）されている場合、第２中間周波信号の周波数偏移に基づいて、該第２中間周波信号を復調し、復調して得られたデータをベースバンド部１２に与える。周波数偏移変調は変調方式の一例であり、入力信号の変調方式は特に限定されない。例えば、振幅偏移変調（ASK:Amplitude-Shift Keying）を採用しても良い。
【００３４】
ベースバンド部１２は、復調部１１で復調されたデータに対して、所定の処理を実行する回路である。ベースバンド部１２は、信号受信の成否を判定するためのデータを制御部４に与える。また、データ受信の成否を示すデータを制御部４に与えても良い。なお、本実施の形態１ではベースバンド部１２から、信号受信の成否を判定するためのデータを制御部４に与える例を説明するが、復調部１１から出力されるデータを信号受信の成否を判定するためのデータとして制御部４に与えるように構成しても良い。
【００３５】
信号強度検出部１３は、第２混合器８から出力される第２中間周波信号の強度を検出する回路であり、検出した強度を示す信号を制御部４に与える。
【００３６】
制御部４は、ＣＰＵ（Central Processing Unit）等を備えたマイコンである。ＣＰＵにはバスを介して、ＲＯＭ、ＲＡＭ、インタフェース、記憶部等が接続されている。制御部４は、切替スイッチ３の動作を制御し、入力信号の入力先を第１混合器５又は第２混合器８に切り替える機能を有する。また、制御部４は、入力信号が前記第２混合器８へ入力するように切替スイッチ３が切り替えられてからの経過時間を計時するための計時部４ａを備える。計時部４ａはマイコンに内蔵されているクロックであっても良いし、外付けされたタイマーであっても良く、計時部４ａの構成、計時方法は特に限定されない。
【００３７】
図３は制御部４の処理手順を示すフローチャートである。制御部４は、入力信号が前記第２混合器８へ入力するように切替スイッチ３を第２切替端３ｃ側へ切り替える（ステップＳ１１）。制御部４は、通常、切替スイッチ３を第２切替端３ｃ側へ切り替えることによってシングルコンバージョン方式で動作させる。シングルコンバージョン方式で動作させることによって、良好な受信感度特性及び省電力特性を実現する。シングルコンバージョン方式は、信号受信の待ち受け状態に適した方式である。
【００３８】
また、切替スイッチ３を第２切替端３ｃ側へ切り替える際、第２局部発信器９から出力する信号の第１周波数を、シングルコンバージョン用の周波数に切り替える。次いで、制御部４は、信号強度検出部１３にて第２中間周波信号の強度を検出する（ステップＳ１２）。具体的には、信号強度検出部１３は第２中間周波信号の強度に応じた信号を制御部４へ出力し、制御部４は信号強度検出部１３から出力された信号を受信することによって、第２中間周波信号の強度を検出する。そして、制御部４は、第２中間周波信号の強度が所定強度以上であるか否かを判定する（ステップＳ１３）。所定強度未満であると判定した場合（ステップＳ１３：ＮＯ）、制御部４は処理をステップＳ１２へ戻す。
【００３９】
第２中間周波信号の強度が所定強度以上であると判定した場合（ステップＳ１３：ＹＥＳ）、制御部４はベースバンド部１２から受信データを取得し（ステップＳ１４）、信号受信の成否を判定する（ステップＳ１５）。
なお、ここでは、復調部１１から出力され、ベースバンド部１２で処理されたデータを用いて信号受信の成否を判定する例を説明したが、復調部１１で復調されたデータを取得し、信号受信の成否を判定しても良い。
【００４０】
信号受信に成功したと判定した場合（ステップＳ１５：ＹＥＳ）、制御部４は、処理をステップＳ１２へ戻す。信号受信に失敗したと判定した場合（ステップＳ１５：ＮＯ）、制御部４は、入力信号が第１混合器５へ入力するように切替スイッチ３を第１切替端３ｂ側へ切り替える（ステップＳ１６）。また、切替スイッチ３を第１切替端３ｂ側へ切り替える際、第１局部発信器６及び第２局部発信器９からそれぞれ出力する信号の第１周波数及び第２周波数を、ダブルコンバージョン用の周波数に切り替える。制御部４は、切替スイッチ３を第１切替端３ｂ側へ切り替えることによってダブルコンバージョン方式で動作させる。ダブルコンバージョン方式で動作させることによって、良好な耐妨害波特性を実現する。シングルコンバージョン方式は、信号受信失敗時に適した方式である。
【００４１】
次いで、制御部４は計時を開始する（ステップＳ１７）。そして制御部４はベースバンド部１２から受信データを取得し（ステップＳ１８）、データの受信が完了したか否かを判定する（ステップＳ１９）。データの受信が完了したと判定した場合（ステップＳ１９：ＹＥＳ）、制御部４は処理をステップＳ１１へ戻す。つまり、制御部４は、入力信号が第２混合器８へ入力するように切替スイッチ３を第２切替端３ｃ側へ切り替え、シングルコンバージョン方式の動作に戻す。
【００４２】
データの受信が完了していないと判定した場合（ステップＳ１９：ＮＯ）、制御部４は、計時を開始してから所定時間が経過したか否かを判定する（ステップＳ２０）。所定時間が経過していないと判定した場合（ステップＳ２０：ＮＯ）、制御部４は処理をステップＳ１８へ戻す。所定時間が経過したと判定した場合（ステップＳ２０：ＹＥＳ）、制御部４は、処理をステップＳ１１へ戻す。つまり、制御部４は、入力信号が第２混合器８へ入力するように切替スイッチ３を第２切替端３ｃ側へ切り替え、シングルコンバージョン方式の動作に戻す。
【００４３】
以下、影像周波数の妨害波存在時の制御例について説明する。受信対象である信号の周波数は、例えば３１５ＭＨｚである。以下、各方式における局周波数及び影像周波数の関係を例示する。
シングルコンバージョン方式の場合、第１局部発振器６が発信する信号の第１周波数は３１５．２７４ＭＨｚ、第１中間周波信号の周波数は２７４ｋＨｚ、影像周波数は３１５．５４８ＭＨｚである。
ダブルコンバージョン方式の場合、第１局部発振器６が発信する信号の第１周波数は３０４．３ＭＨｚ、第１中間周波信号の周波数は１０．７ＭＨｚ、第１の影像周波数は２９３．６ＭＨｚである。
第２局部発信器９が発信する信号の第２周波数は１０．９７４ＭＨｚ、第２中間周波信号の周波数は２７４ｋＨｚ、第２の影像周波数は２９３．０５２ＭＨｚ及び３１５．５４８ＭＨｚである。
【００４４】
シングルコンバージョン方式で動作している場合、３１５．５４８ＭＨｚの妨害波が存在していた場合、信号受信に失敗するおそれがある。３１５．５４８ＭＨｚの妨害波の信号は、ＳＡＷフィルタ１でも除去できないため、妨害波の影響が残る。
【００４５】
信号受信に失敗し、ダブルコンバージョン方式に切り替えた場合、３１５．５４８ＭＨｚは前記第２の影像周波数に当たるが、本妨害波はＳＡＷフィルタ１又は第１バンドパスフィルタ７にて除去可能であるため、信号受信の可能性が高くなる。
【００４６】
このように構成された受信装置によれば、シングルコンバージョン方式の耐妨害波特性と、ダブルコンバージョン方式の受信感度特性及び省電力特性とを有し、非連続的な入力信号を受信する場合であっても、耐妨害波特性及び省電力特性を適宜切り替えることができる。
【００４７】
入力信号待ちの状態では、シングルコンバージョン方式に切り替えておくことにより、良好な受信感度特性及び省電力特性を実現することができる。
【００４８】
妨害波の影響で信号受信に失敗した場合、ダブルコンバージョン方式に切り替えておくことにより、良好な耐妨害波特性を実現することができる。
【００４９】
ダブルコンバージョン方式に切り替えた後、信号受信を完了した場合、又は所定時間が経過した場合、シングルコンバージョン方式に切り替えることによって、良好な省電力特性を実現できる。
【００５０】
（変形例）
図４は変形例における制御部４の処理手順を示すフローチャートである。変形例の受信装置は、制御部４の処理手順のみが実施の形態１と異なるため、以下では主にかかる相違点を説明する。制御部４は、実施の形態１におけるステップＳ１１〜ステップＳ１５と同様の処理を、ステップＳ１１１〜ステップＳ１１５で実行する。ステップＳ１１５において、信号受信に失敗したと判定した場合（ステップＳ１１５：ＮＯ）、制御部４は、信号受信の失敗回数を記憶し、連続的に所定複数回数、信号受信に失敗したか否かを判定する（ステップＳ１１６）。所定複数回数は例えば２回である。信号受信の失敗回数が所定複数回数に満たない場合（ステップＳ１１６：ＮＯ）、制御部４は処理をステップＳ１１２へ戻す。
所定複数回数、信号受信に失敗した場合（ステップＳ１１６：ＹＥＳ）、制御部４は、入力信号が第１混合器５へ入力するように切替スイッチ３を第１切替端３ｂ側へ切り替える（ステップＳ１１７）。
以下、制御部４は、実施の形態１におけるステップＳ１７〜ステップＳ２０と同様の処理を、ステップＳ１１８〜ステップＳ１２１で実行する。
【００５１】
変形例によれば、複数回にわたって信号受信に失敗した場合、シングルコンバージョン方式からダブルコンバージョン方式に切り替えるように構成してある。つまり、信号受信の失敗が初回であり、妨害波の影響で信号受信に失敗しているかどうか定かでは無い段階では、シングルコンバージョン方式で信号を受信する。複数回にわたって信号受信に失敗していることから、妨害波の影響によって、受信に失敗している可能性が高いと判断される段階では、ダブルコンバージョン方式で信号を受信する。従って、より適切にシングルコンバージョン方式からダブルコンバージョン方式に切り替えることができ、より確実に信号を受信することができる。
【００５２】
（実施の形態２）
図５は実施の形態２に係る受信装置のブロック図である。実施の形態２の受信装置は、実施の形態１と同様、ＳＡＷフィルタ１、増幅器２、切替スイッチ２０３、制御部４、第１混合器５、第１局部発振器６、第１バンドパスフィルタ７、第２混合器８、第２局部発振器９、第２バンドパスフィルタ１０は、復調部１１、及びベースバンド部１２及び信号強度検出部２１３を備える。実施の形態２に係る受信装置は、迂回路２３０及び切替スイッチ２０３の接続構成のみが異なるため以下ではかかる相違点を説明する。
【００５３】
増幅器２の出力端子は、第１混合器５の入力端子に接続されており、増幅器２から出力された入力信号は第１混合器５に与えられる。
また、第１バンドパスフィルタ７の出力端子は、切替スイッチ２０３の共通端２０３ａに接続されている。切替スイッチ２０３の第１切替端２０３ｂは第２混合器８に接続され、第２切替端２０３ｃは迂回路２３０を介して、復調部１１に接続されている。
更に、信号強度検出部２１３は、第１混合器５から出力される第１中間周波信号の強度を検出し、検出した強度に応じた信号を制御部４に与えるように構成されている。
【００５４】
制御部４は、通常、切替スイッチ２０３を第２切替端２０３ｃ側に切り替える。切替スイッチ２０３が第２切替端２０３ｃ側に切り替えられた場合、第１中間周波信号は第２混合器８を迂回して復調部１１に入力する。つまり、入力信号をシングルコンバージョン方式にて中間周波信号に変換し、受信する状態になる。
ここで、所定強度以上の第１中間周波信号を受信し、かつ信号受信に失敗した場合、制御部４は切替スイッチ２０３を第１切替端２０３ｂ側に切り替える。切替スイッチ２０３が第１切替端２０３ｂ側に切り替えられた場合、第１中間周波信号は第２混合器８に入力する。つまり、切替スイッチ２０３が第１切替端２０３ｂ側に切り替えられた場合、入力信号をダブルコンバージョン方式にて中間周波信号に変換し、受信する状態になる。
【００５５】
実施の形態２においては、実施の形態１と同様、シングルコンバージョン方式の耐妨害波特性と、ダブルコンバージョン方式の受信感度特性及び省電力特性とを両立することができる。
なお、実施の形態２に対しても変形例１の構成を採用し、信号受信に複数回失敗した場合、ダブルコンバージョン方式に切り替えるように構成しても良い。
【００５６】
（実施の形態３）
図６は実施の形態３に係る受信装置のブロック図である。実施の形態２の受信装置は、実施の形態１と同様、ＳＡＷフィルタ１、増幅器２、切替スイッチ３０３、制御部４、第１混合器５、第１局部発振器６、第１バンドパスフィルタ７、第２混合器８、第２局部発振器９、第２バンドパスフィルタ１０は、復調部１１、及びベースバンド部１２及び信号強度検出部１３を備える。実施の形態２に係る受信装置は、更に、第３混合器１４、第３局部発振器１５、及び第３バンドパスフィルタ１６を備える。
【００５７】
第３混合器１４、第３局部発振器１５、及び第３バンドパスフィルタ１６の構成は、第１混合器５、第１局部発振器６、及び第１バンドパスフィルタ７と同様である。第３混合器１４は、増幅器２からの入力信号と、第３局部発信器１５から与えられた第３周波数の信号とを混合して、中間周波信号を生成し、生成した中間周波信号を第３バンドパスフィルタ１６を介して復調部１１に与える。以下、第３混合器１４にて生成された中間周波信号を、第３中間周波信号と呼ぶ。信号強度検出部１３は、第３混合器１４から出力される第３中間周波信号の強度を検出する回路であり、検出した強度を示す信号を制御部４に与える。
【００５８】
増幅器２の出力端は、切替端子の共通端３０３ａに接続されている。切替スイッチ３０３の第２切替端３０３ｃは第１混合器５に接続されている。切替スイッチ３０３の第１切替端３０３ｂは第３混合器１４に接続されている。第３混合器１４の出力端子は第３バンドパスフィルタ１６を介して、復調部１１に接続されている。
【００５９】
制御部４は、通常、切替スイッチ３０３を第１切替端３０３ｂ側に切り替える。切替スイッチ３０３が第１切替端３０３ｂ側に切り替えられた場合、入力信号は第３混合器１４に入力する。つまり、入力信号をシングルコンバージョン方式にて中間周波信号に変換し、受信する状態になる。
ここで、所定強度以上の第３中間周波信号を受信し、かつ信号受信に失敗した場合、制御部４は切替スイッチ３０３を第２切替端３０３ｃ側に切り替える。切替スイッチ３０３が第２切替端３０３ｃ側に切り替えられた場合、入力信号は第１混合器５に入力する。つまり、切替スイッチ３０３が第２切替端３０３ｃ側に切り替えられた場合、入力信号をダブルコンバージョン方式にて中間周波信号に変換し、受信する状態になる。
【００６０】
実施の形態３においては、実施の形態１と同様、シングルコンバージョン方式の耐妨害波特性と、ダブルコンバージョン方式の受信感度特性及び省電力特性とを両立することができる。
なお、実施の形態３に対しても変形例１の構成を採用し、信号受信に複数回失敗した場合、ダブルコンバージョン方式に切り替えるように構成しても良い。
【００６１】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００６２】
１  ＳＡＷフィルタ
２  増幅器
３  切替スイッチ
４  制御部
４ａ  計時部
５  第１混合器
６  第１局部発振器
７  第１バンドパスフィルタ
８  第２混合器
９  第２局部発振器
１０  第２バンドパスフィルタ
１１  復調部
１２  ベースバンド部
【図１】
2015065520.tif 000003
【図２】
2015065520.tif 000004
【図３】
2015065520.tif 000005
【図４】
2015065520.tif 000006
【図５】
2015065520.tif 000007
【図６】
2015065520.tif 000008